(57)【要約】【課題】マンホールを塞ぐ蓋部材をマンホール側部材に止着可能な構成の浄化槽につき、蓋部材の合理的な止着技術を提供する。【解決手段】被処理水の浄化処理を行う浄化槽１００では、マンホール１０８を塞ぐマンホール蓋１２０を、ロックピン１３０を介してマンホール側部材に止着可能となっている。ロックピン１３０の頭部１３１とマンホール蓋１２０との間に形成される隙間Ｃに流入した土砂等の流入物は、挿入孔１２２の支持部１２２ｃに設けられた排出手段としてのスリット部１２６を通じて浄化槽本体１０１内（隙間Ｃの下方である隙間外領域）へ排出される構成になっている。【選択図】      図３
2005000822.tif 000002
【特許請求の範囲】
【請求項１】
被処理水の浄化処理を行う浄化槽において、マンホールを塞ぐ蓋部材をマンホール側部材に止着可能なマンホールの蓋部材用止着装置であって、
当該止着装置の回動部が前記蓋部材の挿入部に挿入された状態で回転動作されることによって、前記蓋部材をマンホール側部材に止着ないし止着解除する構成であり、
前記回動部と前記蓋部材との間に形成される隙間に流入した流入物を、隙間外領域へ排出可能な排出手段を備えていることを特徴とする、マンホールの蓋部材用止着装置。
【請求項２】
請求項１に記載のマンホールの蓋部材用止着装置であって、
前記排出手段は、前記回動部と、当該回動部を支持する支持部のうちの少なくとも一方に連通部を設けた構成であり、当該連通部を通じて前記隙間と前記隙間外領域とが連通されることを特徴とする、マンホールの蓋部材用止着装置。
【請求項３】
請求項２に記載のマンホールの蓋部材用止着装置であって、
前記連通部は複数設けられており、これら複数の連通部が平面視で概ね等間隔に配置されていることを特徴とする、マンホールの蓋部材用止着装置。
【請求項４】
請求項１〜３のいずれかに記載のマンホールの蓋部材用止着装置であって、
前記排出手段は、前記回動部の回転動作に伴って作動する移送部を備え、前記隙間に流入した流入物が前記移送部を介して前記隙間外領域へ移送される構成であることを特徴とする、マンホールの蓋部材用止着装置。
【請求項５】
マンホールと、前記マンホールを塞ぐ蓋部材と、前記蓋部材をマンホール側部材に止着可能な止着装置とを有し、被処理水の浄化処理を行う浄化槽であって、
前記止着装置の回動部が前記蓋部材の挿入部に挿入された状態で回転動作されることによって、前記蓋部材が浄化槽本体側に設けられた枠部材に止着ないし止着解除される構成であり、
更に、前記回動部と前記蓋部材との間に形成される隙間に流入した流入物を、隙間外領域へ排出可能な排出手段を備えていることを特徴とする、浄化槽。
【発明の詳細な説明】
【０００１】
【発明の属する技術分野】
本発明は、被処理水の浄化処理を行う浄化槽に係り、詳しくはマンホールを塞ぐ蓋部材を備えた浄化槽の構築技術に関する。
【０００２】
【従来の技術】
従来、例えば一般家庭等から排出される排水などの被処理水を浄化処理する浄化槽において、マンホールを塞ぐように一旦装着されたマンホール蓋が、不用意にマンホール側部材から離脱するのを防止するために、マンホール蓋をマンホール側部材に止着可能とする止着構造が公知である（例えば、特許文献１参照。）。
この特許文献１には、ロックピンを用いることによってマンホール蓋をマンホール側部材に止着させようとする技術が開示されている。すなわち、マンホール蓋に設けられた取付穴にロックピンを挿入し当該ロックピンを回転動作させることによって、ロックピンの先端部をマンホールの周縁フランジに係合させ、あるいはこの係合を解除させる。これにより、ロックピンの係合状態においてマンホール蓋がマンホール側部材に止着され、ロックピンの係合解除状態においてマンホール蓋の止着が解除される。
ところで、このような浄化槽では、ロックピンの円滑な回転動作を許容するように、取付穴に挿入されたロックピンとマンホール蓋との間に隙間（クリアランス）が形成される。ところが、このような構成では、ロックピンとマンホール蓋との間の隙間に外部から土砂等の流入物が流入し、ロックピンの円滑な回転動作を妨げるおそれがある。かといって、流入物の流入を阻止するべくロックピンとマンホール蓋との間の隙間を狭くすると、ロックピンの回転動作を円滑に行うことができず、ロックピン本来の機能を全うできない。
【０００３】
【特許文献１】
特開平８−３０１３８９号公報
【０００４】
【発明が解決しようとする課題】
そこで、本発明はかかる点に鑑みてなされたものであり、マンホールを塞ぐ蓋部材をマンホール側部材に止着可能な構成の浄化槽につき、蓋部材の合理的な止着技術を提供することを課題とする。
【０００５】
【課題を解決するための手段】
上記課題を達成するため、各請求項記載の発明が構成される。これら各請求項に記載の発明は、一般家庭等から排出される排水などの被処理水を浄化処理する浄化槽につき、槽内の維持管理（保守点検、清掃、検査）用として使用される開口をはじめ、測定機器類や配管類の挿入口等に用いられる開口等、各種のマンホールを塞ぐ蓋部材がマンホール側部材に止着される構成において広く適用され得る技術である。
【０００６】
（請求項１に記載の発明）
請求項１に記載のマンホールの蓋部材用止着装置は、一般家庭等から排出される排水などの各種の被処理水を浄化処理する浄化槽に装着される。この止着装置は、マンホールを塞ぐ蓋部材（例えば、マンホール蓋）をマンホール側部材に止着可能とする機能を有する装置である。
なお、本明細書中でいう「浄化槽」としては、生活雑排水やし尿等をあわせて処理する合併浄化槽が典型例である。その他の浄化槽としては、合併浄化槽の上流側に設置される原水ポンプ槽、合併浄化槽の下流側に設置される放流ポンプ槽、合併浄化槽で処理された水を更に浄化処理する三次処理槽および中水処理槽などがある。また、本明細書中でいう「マンホール」としては、浄化槽内の維持管理（保守点検、清掃、検査）用の開口が典型的な例である。本発明では、その他、測定機器類や配管類の挿入口等の開口も、本発明における「マンホール」の範疇に含まれるものとする。また、本明細書中でいう「マンホール側部材」とは、マンホール自体（浄化槽本体）はもちろん、マンホールに装着されて蓋部材を支持する蓋部材用の支持手段等も広く含む主旨である。また、本明細書中でいう「止着」とは、一旦マンホール側部材に装着された蓋部材が、当該マンホール側部材から不用意に離脱されるのを阻止することができれば足り、各種の態様を広く含む。蓋部材がマンホール側部材に止着される態様としては、例えば、マンホール側部材に対する蓋部材の相対的な動作が完全に規制される（固定状態に維持される）態様、マンホール側部材に対する蓋部材の相対的な動作が完全には規制されず、離脱しない程度で動作が許容される態様等がある。
【０００７】
特に、本発明では、止着装置の回動部が蓋部材の挿入部に挿入された状態で回転動作可能になっている。本発明の回動部は、典型的には長軸状の回動軸を有するピン形状やボルト形状のものを用いて構成される。本発明の挿入部は、例えば、蓋部材に長軸状の回動軸を挿入可能な挿入孔（挿入穴）を設けることによって形成される。この挿入孔に長軸状の回動軸が挿入され回転動作されることによって、蓋部材がマンホール側部材に止着ないし止着解除される。例えば、回動部を、垂直方向に延在する第１の軸部と、この第１の軸部から水平方向に延在する第２の軸部とを備えた構成とし、回動部の回転動作に伴ってこの第２の軸部がマンホール側部材に係合したりこの係合が解除されたりする構成を用いる。第２の軸部がマンホール側部材に係合することで蓋部材がマンホール側部材に止着され、第２の軸部とマンホール側部材との係合が解除されることで当該止着が解除される。
なお、回動部とマンホール側部材とが係合する態様としては、例えば、回動部がマンホール側部材に引っ掛かる態様、回動部の凹部とマンホール側部材の凸部が互いに嵌まり合う態様、回動部とマンホール側部材とが螺合などによって互いに連結される態様等、種々の態様が考えられる。
【０００８】
このような止着装置では、回動部の円滑な回転動作を許容するように、挿入部に挿入された回動部と蓋部材との間に隙間（クリアランス）が形成される。そこで、本発明では、この隙間に外部から土砂等の流入物が流入し、回動部の円滑な回転動作が阻止されないように排出手段を設けている。
この排出手段は、挿入部に挿入された回動部と蓋部材との間の隙間に流入した流入物を、隙間外領域へ排出可能に構成されている。すなわち、この排出手段は、流入物が隙間外領域へ排出され易い状態を形成し当該流入物の排出を許容する構成ものであってもよいし、あるいは排出手段自体が流入物を積極的に隙間外領域へ排出する機能を有する構成のものであってもよい。これにより、隙間に流入した流入物は、例えば隙間の下方や上方に形成される隙間外領域へ向けて排出されることとなる。
【０００９】
なお、本発明は、回動部の回転動作を許容するべく設けられた所定の隙間から流入物を排出させることが可能であれば足りる主旨であり、前記所定の隙間から流入物が排出される隙間外領域は限定されない。従って、回動部や蓋部材の外部の領域はもちろん、回動部や蓋部材の内部に形成された空間等であっても前記所定の隙間の外部に設けられた領域であれば、本発明でいう「隙間外領域」の範疇に含まれる。例えば、本発明では、前記所定の隙間に面する回動部や蓋部材の一部を凹ませて空間を形成し、隙間から排出された流入物をこの空間に一時的に貯留させる構成を用いることもできる。
【００１０】
本発明の排出手段の具体的な態様としては、隙間と隙間外領域とを連通する連通部によって排出手段を構成する態様、また隙間部に流入した流入物をかき出し動作や押し出し動作等によって隙間外領域へ排出する態様、更にはこれら両態様を組み合わせた態様などがある。排出手段に連通部を用いた態様では、隙間へ流入した流入物は、例えば連通部を通じて隙間外領域へ排出されることとなる。また、かき出し動作や押し出し動作等を用いた態様では、隙間へ流入した流入物はかき出し動作や押し出し動作等によって隙間外領域へ積極的に排出されることとなる。また、これら両態様を組み合わせた態様では、隙間へ流入した流入物はかき出し動作や押し出し動作等によって、例えば連通部の位置に移送されこの連通部を通じて隙間外領域へ排出されることとなる。
【００１１】
以上のように請求項１に記載の構成によれば、回動部と蓋部材との間に形成される隙間に流入した流入物を、排出手段によって隙間外領域へ排出することができるという、止着装置の合理的な構成を実現することが可能となる。すなわち、隙間に流入した流入物が隙間内において固着するのを極力回避することができる。従って、挿入部に挿入された回動部の円滑な回転動作が許容される。
【００１２】
（請求項２に記載の発明）
請求項２に記載の発明は、請求項１に記載の排出手段を、回動部と支持部のうちの少なくとも一方に連通部を設けるという構成によって特定される。すなわち、本発明では、回動部および支持部のいずれか一方に連通部を設ける態様や、回動部および支持部の両方に連通部を設ける態様がある。
支持部は、挿入部に挿入された回動部を例えば下方から支持する構成を有する。典型的には、挿入部が設けられた蓋部材の一部によって支持部が構成される。連通部は、孔形状、スリット形状等、各種の形状によって構成される。このような構成の連通部は、隙間に流入した流入物を隙間から隙間外領域へ排出するのに有効である。また、この連通部は、回動部が回転動作されない場合における流入物の排出効果を有するのみならず、回動部が回転動作される際の回転力が作用し連通部の方向へ押し出された流入物を排出するのにも有効である。
以上のように請求項２に記載の構成によれば、回動部や支持部に連通部を設けるという簡便な対応によって、隙間に流入した流入物を隙間外領域へ排出することができ合理的である。
【００１３】
（請求項３に記載の発明）
請求項３に記載の発明は、請求項２に記載の連通部を複数設け、これら複数の連通部を平面視で概ね等間隔に配置するという構成によって特定される。これにより、隙間に流入した流入物は、回動部や支持部に設けられた連通部による複数の経路で隙間外領域へ排出されることとなる。
従って、請求項３に記載の構成によれば、隙間に流入した流入物を、複数の連通部を通じてバランスよく排出することができる。これにより、流入物が隙間内において局部的に滞留するのを極力防止することが可能となる。
【００１４】
（請求項４に記載の発明）
請求項４に記載の発明は、請求項１〜３のいずれかに記載の排出手段を、移送部を用いて構成することによって特定される。この移送部は、回動部の回転動作に伴って作動して、隙間に流入した流入物を隙間外領域へ移送する機能を有する。
移送部は、回動部と一体的に作動する構成であってもよいし、あるいは回動部の回転動作とは独立して作動する構成であってもよい。典型的には、隙間内の流入物を隙間外領域へかき出し可能あるいは押し出し可能な形状の部位を回動部に設けることによって移送部を構成する。このような構成によれば、回動部が回転動作する際に移送部が隙間内の流入物をかき出し、あるいは押し出して、当該流入物を隙間外領域へ排出することができる。
以上のように請求項４に記載の構成によれば、隙間内の流入物を積極的に排出することが可能な移送部を用いることによって、流入物の排出をより確実に行うことが可能となる。
【００１５】
（請求項５に記載の発明）
請求項５に記載の発明は、例えば請求項１に記載のような止着装置および排出手段が設けられた浄化槽として特定される。すなわち、この浄化槽では、止着装置の回動部が蓋部材の挿入部に挿入された状態で回転動作されることによって、蓋部材が浄化槽本体側の枠部材（例えば、蓋部材を支持する部材）に止着ないし止着解除されるようになっている。また、この浄化槽では、回動部と蓋部材との間に形成される隙間に流入した流入物は、排出手段を介して隙間外領域へ排出されるようになっている。
請求項５に記載のこのような構成によれば、挿入部に挿入された止着装置の回動部と蓋部材との間の隙間に流入した流入物を、排出手段によって隙間外領域へ排出することができるという、浄化槽の合理的な構成を実現することが可能となる。
【００１６】
【発明の実施の形態】
以下に、本発明の一実施の形態（第１〜第３実施の形態）を図面を参照しながら説明する。本実施の形態では、マンホールを塞ぐ蓋部材を、止着装置によってマンホール側部材に止着する構成であり、生活雑排水やし尿等をあわせて処理する合併浄化槽（以下、単に「浄化槽」という。）について説明する。
【００１７】
（第１実施の形態）
まず、本発明の第１実施の形態を、図１〜図５に基づいて説明する。ここで、図１は本実施の形態の浄化槽１００の側面図である。図２は図１中の浄化槽１００の上部を示す斜視図である。図３は図２中のＡ−Ａ線断面矢視図である。図４はマンホール蓋１２０に設けられた挿入孔１２２を平面視で示す図である。図５はロックピン１３０の動作を説明する図である。
【００１８】
図１に示すように、浄化槽１００（本発明における「浄化槽」）の浄化槽本体１０１は、いずれも槽状に形成された上部槽１０２および下部槽１０３を、フランジ部１０４において互いに重ね合わせて接合することで組立てられるようになっている。上部槽１０２および下部槽１０３は、例えばＦＲＰ（ガラス繊維樹脂）材料をいわゆるスプレーアップ成形すること等によって作製される。この浄化槽本体１０１の内部には、特に図示しないものの、例えば、流入する被処理水の流量を調整する流量調整槽、被処理水中に含まれる大きな固形物や油脂等の固液分離を行う夾雑物除去槽、被処理水中の有機性汚濁物質を微生物の働きによって処理する生物処理槽、放流する前の処理水の消毒を行う消毒槽等が搭載される。
【００１９】
上部槽１０２には、被処理水を浄化槽本体１０１内へ受入れるための流入管１０５、槽内で浄化処理された処理水を浄化槽本体１０１から放流するための放流管１０６が設けられている。また、上部槽１０２において平面視が円形に形成された首部１０７には、マンホール蓋１２０を保持する枠状のマンホール枠１１０が取り付け固定される。
【００２０】
図２および図３に示すように、上部槽１０２の首部１０７の上面には円形状の開口であるマンホール１０８（本発明における「マンホール」）が設けられている。このマンホール１０８を塞ぐマンホール蓋１２０は、マンホール枠１１０を介して首部１０７側に取り付けられるようになっている。マンホール１０８は、浄化槽本体１０１（本発明における「浄化槽本体」）に設けられた開口部分であり、典型的には槽内の維持管理（保守点検、清掃、検査）用として使用される。
【００２１】
マンホール枠１１０は、マンホール１０８を有する首部１０７とマンホール蓋１２０との間に介在し、このマンホール蓋１２０を保持する構成になっている。このマンホール枠１１０は、当該マンホール枠１１０から下方へ向けて突出する第１突出部１１１によって首部１０７に対して位置決めされ、この位置決めされた状態で、更に、取付部１１４がボルト等の固定手段によって首部１０７に取り付け固定される。また、このマンホール枠１１０は、当該マンホール枠１１０から上方へ向けて突出する第２突出部１１２および第３突出部１１３を備えている。これら第２突出部１１２と第３突出部１１３との間にマンホール蓋１２０の周縁フランジ部１２１が嵌め込まれることで、マンホール枠１１０がマンホール蓋１２０を保持するように構成されている。このマンホール蓋１２０が発明における「蓋部材」に対応している。なお、このマンホール蓋１２０およびマンホール枠１１０は、例えばポリプロピレン等の樹脂材料によって構成される。
【００２２】
本実施の形態では、マンホール蓋１２０の２箇所に設けられた挿入孔１２２の各々にロックピン１３０が装着されるようになっている。このロックピン１３０は、マンホール蓋１２０をマンホール枠１１０に対し止着可能な機能を有する。
ロックピン１３０は、図３および図５に示すように、円板状に形成された頭部１３１の下面に長軸状の軸部１３２が設けられた構成を有し、全体として側面視が略Ｌ字状に形成されている。このロックピン１３０は、マンホール蓋１２０と同様の材料、例えばポリプロピレン等の樹脂材料によって構成される。
【００２３】
ロックピン１３０の軸部１３２は、上下方向に延在する第１の軸部１３３と、この第１の軸部１３３から水平方向に延在する第２の軸部１３４と、第１の軸部１３３に設けられた左右一対の突出片１３５を備えている。
突出片１３５は、ロックピン１３０の軸部１３２がマンホール蓋１２０の挿入孔１２２に挿入される過程でその径が縮小され、挿入孔１２２への挿入が完了したときにその径が拡張（拡開）されて、当該突出片１３５の先端部がマンホール蓋１２０の下面と係合する構成になっている。ロックピン１３０が挿入孔１２２に挿入された状態では、ロックピン１３０はアンロック位置（第２の軸部１３４を図５中の破線で示す位置）にある。そして、ロックピン１３０は、挿入孔１２２に挿入された状態で図５中の矢印１０あるいは１２方向への回転動作が許容され、またマンホール蓋１２０に対して抜け止めされることとなる。
【００２４】
本実施の形態では、挿入孔１２２に挿入されたロックピン１３０は、ロック位置（図５中の実線で示す位置）と、アンロック位置（第２の軸部１３４を図５中の破線で示す位置）との間で回転動作可能となっている。そして、ロックピン１３０のこの回転動作によって、マンホール蓋１２０がマンホール枠１１０（本発明における「マンホール側部材」、ないし「枠部材」に対応している。）に止着され、あるいはこの止着状態が解除されるようになっている。このロックピン１３０が、本発明における「回動部」を構成している。
【００２５】
すなわち、ロックピン１３０がロック位置に設定されると、第２の軸部１３４がマンホール枠１１０の第１突出部１１１の下方に配置される。第２の軸部１３４のこの配置状態では、ロックピン１３０の上方（図３中の上方）への移動が第１突出部１１１によって阻止され、マンホール蓋１２０がマンホール枠１１０側から不用意に離脱されるのが阻止される。なお、ロックピン１３０をロック位置に設定する場合、図５に示すように、頭部１３１の上面に設けられた溝部（凹部）１３１ａに突起物等を嵌め込んだ状態で、当該頭部１３１を図５中の「Ｏ」で示す位置から「Ｓ」で示す位置まで回転させる。
【００２６】
一方、ロックピン１３０がアンロック位置に設定されると、第２の軸部１３４がマンホール枠１１０の第１突出部１１１の下方から外れた位置に配置される。第２の軸部１３４のこの配置状態では、ロックピン１３０の上方（図３中の上方）への移動が許容され、マンホール蓋１２０がマンホール枠１１０側から離脱されるのが許容される。なお、ロックピン１３０をアンロック位置に設定する場合、図５に示すように、頭部１３１の溝部（凹部）１３１ａに突起物等を嵌め込んだ状態で、ロックピン１３０の頭部１３１を図５中の「Ｓ」で示す位置から「Ｏ」で示す位置まで回転させる。
【００２７】
挿入孔１２２は、マンホール蓋１２０を貫通する構成の孔である。この挿入孔１２２は、図３および図４に示すように、大径部１２２ａ、小径部１２２ｂ、支持部１２２ｃを備えている。この挿入孔１２２が、本発明における「挿入部」に対応している。なお、図４では、挿入孔１２２に挿入された状態のロックピン１３０を二点鎖線で示している。
大径部１２２ａは、ロックピン１３０の頭部１３１の外径よりも大きい内径を有し、また頭部１３１の高さと同様の深さを有する。小径部１２２ｂは、頭部１３１の外径よりも小さい内径を有する。これら大径部１２２ａと小径部１２２ｂとの境界部分に支持部１２２ｃが形成される。すなわち、挿入孔１２２は、その内径が上下二段に変えられた段差状になっている。この支持部１２２ｃは、ロックピン１３０が挿入孔１２２に挿入された状態で、このロックピン１３０の頭部１３１を下方から支持する構成になっている。この支持部１２２ｃが本発明における「支持部」に対応している。
また、本実施の形態では、ロックピン１３０の挿入状態における円滑な回転動作を許容するように、ロックピン１３０の頭部１３０と挿入孔１２２の大径部１２２ａとの間に隙間（クリアランス）Ｃが形成される構成になっている。この隙間Ｃが本発明における「隙間」に対応している。
【００２８】
なお、本実施の形態では、挿入孔１２２の支持部１２２ｃの４箇所にスリット部１２６が設けられている。このスリット部１２６は、図４に示すように、小径部１２２ｂの径を部分的に拡張させた構成になっている。また、４箇所のスリット部１２６は、図４に示すように平面視で概ね等間隔に配置されている。これにより、隙間Ｃは、各スリット部１２６を通じてマンホール蓋１２０の上面側および下面側（本発明における「隙間外領域」）と連通されることとなる。このスリット部１２６が本発明における「連通部」ないし「排出手段」に対応しており、このスリット部１２６およびロックピン１３０によって本発明における「止着装置」が構成される。また、このスリット部１２６による態様が、本発明における「連通部を通じて隙間と隙間外領域とが連通される。」との態様に相当する。なお、スリット部１２６の形状、設置数、スリット部１２６間の間隔等は必要に応じて種々変更可能である。例えば、スリット部１２６にかえて孔形状の連通部を用いることもできる。
【００２９】
以上のように、本発明の第１実施の形態によれば、マンホール蓋１２０の合理的な止着技術を実現することができる。すなわち、マンホール蓋１２０の挿入孔１２２とロックピン１３０の頭部１３１との間の隙間Ｃに流入した土砂等の流入物を、スリット部１２６を通じて浄化槽本体１０１内（隙間Ｃの下方である隙間外領域）へ排出することができる。また、このような構成においては、流入物が隙間Ｃに残留した場合であっても、ロックピン１３０がロック位置とアンロック位置との間で回転動作される際に、その回転力が流入物に作用し当該流入物がスリット部１２６へ向けて押し出され、スリット部１２６を通じて浄化槽本体１０１内へ排出される。本実施の形態は、マンホール蓋１２０にスリット部１２６を設けるという簡便な対応によって、隙間Ｃに流入した流入物を隙間外領域へ排出することができ合理的である。
【００３０】
また、本発明の第１実施の形態によれば、４箇所のスリット部１２６が平面視で概ね等間隔に配置されているため、隙間Ｃに流入した流入物を、複数のスリット部１２６を通じてバランスよく排出することができる。これにより、流入物が隙間Ｃ内において局部的に滞留するのを極力防止することができる。
【００３１】
（第２実施の形態）
次に、本発明の第２実施の形態を、図６および図７に基づいて説明する。ここで、図６は第２実施の形態において、第１実施の形態の図３に相当する図である。図７は第２実施の形態において、第１実施の形態の図４に相当する図である。なお、これらの図において、図３〜図５に示す構成要素と同一の構成要素には同一の符号を付すものとし、当該構成要素についての詳細な説明は省略する。
前記第１実施の形態では、隙間Ｃに流入した流入物を、マンホール蓋１２０に設けたスリット部１２６を通じて排出する構成を用いたが、この第２実施の形態では、スリット部１２６とは異なる排出手段（スリット部１３６）を用いている。
【００３２】
第２実施の形態では、図６および図７に示すように、マンホール蓋１２０にスリット部１２６を設けるかわりに、ロックピン１３０の頭部１３１の４箇所にスリット部１３６を設けている。このスリット部１３６は、図７に示すように、頭部１３１を外周縁から中心側へ向けて切り欠いたあるいは凹ませた構成になっている。また、４箇所のスリット部１３６は、平面視で概ね等間隔に配置されている。これにより、隙間Ｃは、各スリット部１３６を通じてマンホール蓋１２０の上面側および下面側（本発明における「隙間外領域」）と連通されることとなる。このスリット部１３６が本発明における「連通部」ないし「排出手段」に対応しており、このスリット部１３６を備えたロックピン１３０によって本発明における「止着装置」が構成される。また、このスリット部１３６による態様が、本発明における「連通部を通じて隙間と隙間外領域とが連通される。」との態様に相当する。なお、スリット部１３６の形状、設置数、スリット部１３６間の間隔等は必要に応じて種々変更可能である。例えば、スリット部１３６にかえて孔形状の連通部を用いることもできる。
【００３３】
以上のように、本発明の第２実施の形態によれば、ロックピン１３０の頭部１３１にスリット部１３６を設けることによって、マンホール蓋１２０にスリット部１２６を設ける場合と同様の作用効果を奏する。すなわち、隙間Ｃに流入した土砂等の流入物を、スリット部１３６を通じて浄化槽本体１０１内（隙間Ｃの下方である隙間外領域）へ排出することができる。また、このような構成においては、流入物が隙間Ｃに残留した場合であっても、ロックピン１３０がロック位置とアンロック位置との間で回転動作される際に、その回転力が流入物に作用し当該流入物がスリット部１３６へ向けて押し出され、スリット部１３６を通じて浄化槽本体１０１内へ排出される。
【００３４】
また、本発明の第２実施の形態によれば、４箇所のスリット部１３６が平面視で概ね等間隔に配置されているため、隙間Ｃに流入した流入物を、複数のスリット部１３６を通じてバランスよく排出することができる。これにより、流入物が隙間Ｃ内において局部的に滞留するのを極力防止することができる。
【００３５】
なお、第１実施の形態の特徴部分と、第２実施の形態の特徴部分をあわせ持つ構成を用いることもできる。すなわち、マンホール蓋１２０にスリット部１２６を設け、さらにロックピン１３０にスリット部１３６を設けた構成を用いることができる。このような構成によっても、第１実施の形態や第２実施の形態と同様の作用効果を得ることができ、特には、隙間Ｃに流入した流入物の排出経路を増やすのに有効である。
【００３６】
（第３実施の形態）
次に、本発明の第３実施の形態を、図８および図９に基づいて説明する。ここで、図８は第３実施の形態において、ロックピン１３０の頭部１３１の構成を示す斜視図である。図９は第３実施の形態において、ロックピン１３０のスリット部１４６の構成を示す側面図である。なお、これらの図において、図５に示す構成要素と同一の構成要素には同一の符号を付すものとし、当該構成要素についての詳細な説明は省略する。
この第３実施の形態では、第１実施の形態のスリット部１２６や第２実施の形態のスリット部１３６とは異なる排出手段（スリット部１４６）を用いている。
【００３７】
第３実施の形態では、図８および図９に示すように、ロックピン１３０の外周縁部の４箇所にスリット部１４６が設けられている。このスリット部１４６は、垂直方向と交差する方向に延在する構成であり、図９に示す側面視で傾斜状に形成されている。また、４箇所のスリット部１４６は、平面視で概ね等間隔に配置されている。これにより、隙間Ｃは、各スリット部１４６を通じてロックピン１３０の頭部１３１の上面側（本発明における「隙間外領域」）と連通されることとなる。また、スリット部１４６の支持部１２２ｃ側の開口部には、先鋭状のスクレイパー部１４７が設けられている。このスクレイパー部１４７は、隙間Ｃに流入し支持部１２２ｃに堆積した流入物をロックピン１３０の回転動作に伴って擦り取り可能な機能を有する。
【００３８】
例えば、頭部１３１が図８，図９中の矢印３０方向へ回転動作するようにロックピン１３０が操作されると、支持部１２２ｃに堆積した流入物は、スクレイパー部１４７の作用によって擦り取られ、スリット部１４６内を通じて図８，図９中の矢印３２方向へかき出され（移送され）、頭部１３１の上面側へと排出されるようになっている。スクレイパー部１４７を備えたこのスリット部１４６が、本発明における「移送部」ないし「排出手段」に対応しており、このスリット部１４６を備えたロックピン１３０によって本発明における「止着装置」が構成される。なお、スリット部１４６の形状、設置数、スリット部１４６間の間隔等は必要に応じて種々変更可能である。例えば、スリット部１４６を孔形状とすることもできる。
【００３９】
以上のように、本発明の第３実施の形態によれば、ロックピン１３０の頭部１３１にスリット部１４６を設けることによって、隙間Ｃに流入し支持部１２２ｃに堆積した流入物を、頭部１３１の上面側（隙間Ｃの上方である隙間外領域）へ確実に排出することができる。
【００４０】
また、本発明の第３実施の形態によれば、４箇所のスリット部１４６が平面視で概ね等間隔に配置されているため、隙間Ｃに流入した流入物を、複数のスリット部１４６を通じてバランスよく排出することができる。これにより、流入物が隙間Ｃ内において局部的に滞留するのを極力防止することができる。
【００４１】
なお、本実施の形態では、スクレイパー部１４７の擦り取り作用を発生させるためにロックピン１３０を回転させる方向（図８，図９中の矢印３０方向）を、ロックピン１３０をロック位置（図５中の実線で示す位置）からアンロック位置（図５中の破線で示す位置）へ回転動作させる際の方向と一致させるのが好ましい。このような構成によれば、マンホール蓋１２０を開放するときのロックピン１３０の操作によって、スクレイパー部１４７の擦り取り作用を発生させることができるため合理的である。
【００４２】
また、本実施の形態のスリット部１４６は、隙間Ｃと頭部１３１の上面側とを連通させるのみの構成であってもよいし、あるいは隙間Ｃと頭部１３１の下面側（例えば、浄化槽本体１０１内）とを連通させるのみの構成であってもよい。
更には、スリット部１４６が、頭部１３１の上面側のみならず、隙間Ｃと頭部１３１の下面側とを連通させる構成であってもよい。このような構成によれば、隙間Ｃの流入物をロックピン１３０の回転動作に伴って頭部１３１の上面側へ排出するというスリット部１４６の機能と、隙間Ｃの流入物をロックピン１３０の回転動作によらず浄化槽本体１０１内へ排出するという第２実施の形態のスリット部１３６の機能とを兼ね備えた構成を実現することが可能となる。
【００４３】
また、上記第３実施の形態のスリット部１４６の構成を、マンホール蓋１２０に適用することもできる。この態様を図３、図１０および図１１を参照しながら説明する。ここで、図１０は別の実施の形態のマンホール蓋２２０の構成を示す斜視図である。図１１はマンホール蓋２２０のスリット部２４６の構成を示す側面図である。なお、これらの図において、図２および図９に示す構成要素と同一の構成要素には同一の符号を付すものとし、当該構成要素についての詳細な説明は省略する。
【００４４】
図３に示すように、マンホール蓋１２０の周縁フランジ部１２１と、マンホール枠１１０の第３突出部１１３との間に隙間が形成されており、この隙間に外部から土砂等の流入物が流入する場合がある。この隙間に流入物が流入しこの流入物が周縁フランジ部１２１の下方に入り込むと、マンホール蓋１２０がマンホール枠１１０に対し上方へ浮き上がり、ロックピン１３０の第２の軸部１３４がマンホール枠１１０と干渉するおそれがある。従って、ロックピン１３０の円滑な回転動作の妨げになる。
【００４５】
そこで、本実施の形態のマンホール蓋２２０は、図１０および図１１に示すように、マンホール蓋１２０の外周縁部に、第３実施の形態のスリット部１４６と同様の構成のスリット部２４６を設けた構成になっている。このスリット部２４６のマンホール枠１１０側の開口部には、スクレイパー部１４７と同様のスクレイパー部２４７が設けられている。このスクレイパー部２４７は、隙間（クリアランス）Ｄに流入し周縁フランジ部２２１の下方に堆積した流入物を、ロックピン１３０の回転動作に伴って擦り取り可能な機能を有する。
【００４６】
例えば、マンホール蓋２２０が下方へ押圧された状態で図１１中の矢印３０方向へ回転動作されると、隙間Ｄに流入し周縁フランジ部２２１の下方に堆積した流入物は、スクレイパー部２４７の作用によって擦り取られ、スリット部２４６内を通じて図１１中の矢印３２方向へかき出され（移送され）、マンホール蓋２２０の上面側へと排出されるようになっている。なお、スリット部２４６の形状、設置数、スリット部２４６間の間隔等は必要に応じて種々変更可能である。例えば、スリット部２４６を孔形状とすることもできる。
このような構成によれば、マンホール１０８を塞ぐ機能のマンホール蓋２２０に、さらに隙間Ｄに流入した土砂等の流入物の排出機能を付与することができ合理的である。これにより、隙間Ｄに流入した流入物によってマンホール蓋２２０がマンホール枠１１０に対し上方へ浮き上がり、ロックピン１３０の第２の軸部１３４がマンホール枠１１０と干渉するのを防ぐことができ、ロックピン１３０の円滑な回転動作を可能とする。
【００４７】
〔他の実施の形態〕
なお、本発明は上記の第１〜第３実施の形態のみに限定されるものではなく、種々の応用や変形が考えられる。例えば、上記第１〜第３実施の形態を応用した次の各形態を実施することもできる。
【００４８】
上記第１〜第３実施の形態では、隙間Ｃに流入した流入物を、マンホール蓋１２０の上面側や下面側へ排出する構成について記載したが、例えば、マンホール蓋１２０に隙間Ｃに連なる空間を設け、隙間Ｃから排出された流入物をこの空間に一時的に貯留させる構成を用いることもできる。
【００４９】
また、上記各実施の形態では、樹脂製のロックピン１３０を用いる場合について記載したが、ロックピン１３０の材質は必要に応じて種々変更可能である。例えば、マンホール蓋１２０を金属材料で構成する場合は、ロックピン１３０もマンホール蓋１２０と同様の金属材料で構成するのが好ましい。
【００５０】
また、上記各実施の形態では、例えば維持管理（保守点検、清掃、検査）用のマンホール１０８に対応して設置されるマンホール枠１１０（保持装置）について記載したが、その他のマンホール、例えば測定機器類や配管類の挿入口等に用いられる開口に対応して設置される保持装置の構成に本発明を適用することもできる。
【００５１】
また、上記各実施の形態では、生活雑排水やし尿等の被処理水の合併処理を行う浄化槽１００について記載したが、その他各種の浄化槽に本発明を適用することもできる。例えば、浄化槽１００の上流側に設置される原水ポンプ槽、浄化槽１００の下流側に設置される放流ポンプ槽、浄化槽１００で処理された水を更に浄化処理する三次処理槽および中水処理槽に本発明を適用することができる。
【００５２】
なお、以上説明してきた実施の形態や種々の変更例の記載に基づいた場合、本発明では以下の構成を採り得る。
すなわち、本発明では、「被処理水の浄化処理を行う浄化槽において、マンホールを塞ぐ蓋部材を止着装置を介してマンホール側部材に止着可能とするマンホールの蓋部材用止着構造であって、
前記止着装置の回動部が前記蓋部材の挿入部に挿入された状態で回転動作されることによって、前記蓋部材をマンホール側部材に止着ないし止着解除する構成であり、
前記回動部と前記蓋部材との間に形成される隙間に流入した流入物が、排出手段を介して隙間外領域へ排出可能とされていることを特徴とする、マンホールの蓋部材用止着構造。」という構成（第１の態様）が考えられる。
第１の態様のこのような構成によれば、挿入部に挿入された回動部と蓋部材との間の隙間に流入した流入物を、排出手段によって隙間外領域へ排出することができるという、合理的な止着構造を実現することが可能となる。
【００５３】
【発明の効果】
以上説明したように、本発明によれば、マンホールを塞ぐ蓋部材をマンホール側部材に止着可能な構成の浄化槽につき、蓋部材の合理的な止着技術を実現できることとなった。
【図面の簡単な説明】
【図１】本発明における一実施の形態の排水処理槽１００の側面図である。
【図２】図１中の浄化槽１００の上部を示す斜視図である。
【図３】図２中のＡ−Ａ線断面矢視図である。
【図４】マンホール蓋１２０に設けられた挿入孔１２２を平面視で示す図である。
【図５】ロックピン１３０の動作を説明する図である。
【図６】第２実施の形態において、第１実施の形態の図３に相当する図である。
【図７】第２実施の形態において、第１実施の形態の図４に相当する図である。
【図８】第３実施の形態において、ロックピン１３０のスリット部１４６の構成を示す側面図である。
【図９】第３実施の形態において、ロックピン１３０のスリット部１４６の構成を示す側面図である。
【図１０】別の実施の形態のマンホール蓋２２０の構成を示す斜視図である。
【図１１】マンホール蓋２２０のスリット部２４６の構成を示す側面図である。
【符号の説明】
１００…浄化槽
１０１…浄化槽本体
１０７…首部
１０８…マンホール
１１０…マンホール枠
１２０，２２０…マンホール蓋（蓋部材）
１２１，２２１…周縁フランジ部
１２２…挿入孔
１２２ａ…大径部
１２２ｂ…小径部
１２２ｃ…支持部
１２６，１３６，１４６，２４６…スリット部
１３０…ロックピン
１３１…頭部
１３２…軸部
１３３…第１の軸部
１３４…第２の軸部
１３５…突出片
１４７…スクレイパー部
Ｃ，Ｄ…隙間（クリアランス）
【図１】
2005000822.tif 000003
【図２】
2005000822.tif 000004
【図３】
2005000822.tif 000005
【図４】
2005000822.tif 000006
【図５】
2005000822.tif 000007
【図６】
2005000822.tif 000008
【図７】
2005000822.tif 000009
【図８】
2005000822.tif 000010
【図９】
2005000822.tif 000011
【図１０】
2005000822.tif 000012
【図１１】
2005000822.tif 000013